【手続補正書】
【提出日】平成21年6月16日(2009.6.16)
【手続補正１】
【補正対象書類名】特許請求の範囲
【補正対象項目名】全文
【補正方法】変更
【補正の内容】
【特許請求の範囲】
【請求項１】
画像データ送受信システムであって、
画像の送信側デバイスは、
記憶部に記憶された各画像データを特定する画像データＩＤと該画像データに対応する縮小画像データとを、受信側デバイスに順次送信する縮小画像の送信手段と、
前記縮小画像の送信手段による送信と共に送信対象となった縮小画像データを表示部に順次表示する送信側デバイスの表示手段と、
前記縮小画像の送信手段により前記縮小画像データを順次送信している際に、前記受信側デバイスから、画像データＩＤを含む画像データの送信が要求された場合、該画像データＩＤに対応する画像データを、前記受信側デバイスに向けて送信する画像データの送信手段とを備え、
画像の受信側デバイスは、
前記縮小画像の送信手段で順次送信された縮小画像データを受信した場合、当該縮小画像データを順次表示する受信側デバイスの表示手段と、
該受信側デバイスの表示手段で表示されている縮小画像データに対応する画像データの要求が操作部よりあったか否かを判断する判断手段と、
該判断手段で画像データの要求があったと判断した場合、縮小画像データと共に受信した画像データＩＤを用いて前記受信側デバイスの表示手段で表示されている縮小画像に対応する画像データの送信を前記送信側デバイスに要求する要求手段と、
該要求手段により要求した画像データを受信する受信手段とを備える
ことを特徴とする画像データ送受信システム。
【請求項２】
画像データの送信デバイスであって、
記憶部に記憶された各画像データを特定する画像データＩＤと該画像データに対応する縮小画像データとを、受信側デバイスに順次送信する縮小画像の送信手段と、
前記縮小画像の送信手段による送信と共に送信対象となった縮小画像データを表示部に順次表示する縮小画像の表示手段と、
前記縮小画像の送信手段により前記縮小画像データを順次送信している際に、前記受信側デバイスから、画像データＩＤを含む画像データの送信が要求された場合、該画像データＩＤに対応する画像データを前記受信側デバイスに向けて送信する画像データの送信手段と
を備えることを特徴とする画像データ送信デバイス。
【請求項３】
操作部による指示に基づいて、受信側デバイスを探索する探索手段と、
該探索手段で探索された、受信側デバイスを、選択するために前記表示部に表示する受信側デバイスの表示手段と、を有し、
前記縮小画像の送信手段は、操作部による操作により選択された受信側デバイスに対して各画像データを特定する画像データＩＤと該画像データに対応する縮小画像データとを送信することを特徴とする請求項２記載の画像データ送信デバイス。
【請求項４】
前記縮小画像の送信手段は、予め設定されたインターバルで、各画像データを特定する画像データＩＤと該画像データに対応する縮小画像データとを送信することを特徴とする請求項２又は３に記載の画像データ送信デバイス。
【請求項５】
前記縮小画像の送信手段は、前記受信側デバイスからの要求に基づいて、各画像データを特定する画像データＩＤと該画像データに対応する縮小画像データとを送信することを特徴とする請求項２又は３に記載の画像データ送信デバイス。
【請求項６】
前記画像データの送信手段は、前記受信側デバイスから受信した鍵情報に従って画像データを暗号化する手段を備えることを特徴とする請求項２乃至５のいずれか１項に記載の画像データ送信デバイス。
【請求項７】
前記縮小画像の送信手段にて縮小画像データを順次送信している際に、前記受信側デバイスから画像データの送信が要求されたか否かを示す情報を表示する手段を備えることを特徴とする請求項２に記載の画像データ送信デバイス。
【請求項８】
前記表示された縮小画像データとその画像データＩＤの送信を中止する指示入力が操作部よりあったか否かを判断する判断手段を備え、
前記縮小画像の送信手段は、予め定められた時間内に、前記指示入力がない場合に、表示中の縮小画像データと画像データＩＤとを送信することを特徴とする請求項２に記載の画像データ送信デバイス。
【請求項９】
画像データ送信デバイスの制御方法であって、
縮小画像の送信手段が、記憶部に記憶された各画像データを特定する画像データＩＤと該画像データに対応する縮小画像データとを、受信側デバイスに順次送信する縮小画像の送信工程と、
表示手段が、前記縮小画像の送信工程における送信と共に送信対象となった縮小画像データを表示部に順次表示する表示工程と、
画像データの送信手段が、前記縮小画像の送信工程における前記縮小画像データを順次送信している際に、前記受信側デバイスから、画像データＩＤを含む画像データの送信が要求された場合、該画像データＩＤに対応する画像データを前記受信側デバイスに向けて送信する画像データの送信工程と
を備えることを特徴とする画像データ送信デバイスの制御方法。
【請求項１０】
画像データ送信デバイスにおけるプロセッサを、
記憶部に記憶された各画像データを特定する画像データＩＤと該画像データに対応する縮小画像データとを、受信側デバイスに順次送信するための縮小画像の送信手段、
前記縮小画像の送信手段における送信と共に送信対象となった縮小画像データを表示部に順次表示する表示手段、
前記縮小画像の送信手段における前記縮小画像データを順次送信している際に、前記受信側デバイスから、画像データＩＤを含む画像データの送信が要求された場合、該画像データＩＤに対応する画像データを前記受信側デバイスに向けて送信する画像データの送信手段
として機能させるためのコンピュータプログラム。
【手続補正２】
【補正対象書類名】明細書
【補正対象項目名】発明の名称
【補正方法】変更
【補正の内容】
【発明の名称】画像データ送受信システム及び画像データ送信デバイス及びその制御方法、並びに、コンピュータプログラム
【手続補正３】
【補正対象書類名】明細書
【補正対象項目名】０００９
【補正方法】変更
【補正の内容】
【０００９】
この課題を解決するため、例えば本発明の画像データ送受信システムは以下の構成を備える。すなわち、
画像データ送受信システムであって、
画像の送信側デバイスは、
記憶部に記憶された各画像データを特定する画像データＩＤと該画像データに対応する縮小画像データとを、受信側デバイスに順次送信する縮小画像の送信手段と、
前記縮小画像の送信手段による送信と共に送信対象となった縮小画像データを表示部に順次表示する送信側デバイスの表示手段と、
前記縮小画像の送信手段により前記縮小画像データを順次送信している際に、前記受信側デバイスから、画像データＩＤを含む画像データの送信が要求された場合、該画像データＩＤに対応する画像データを、前記受信側デバイスに向けて送信する画像データの送信手段とを備え、
画像の受信側デバイスは、
前記縮小画像の送信手段で順次送信された縮小画像データを受信した場合、当該縮小画像データを順次表示する受信側デバイスの表示手段と、
該受信側デバイスの表示手段で表示されている縮小画像データに対応する画像データの要求が操作部よりあったか否かを判断する判断手段と、
該判断手段で画像データの要求があったと判断した場合、縮小画像データと共に受信した画像データＩＤを用いて前記受信側デバイスの表示手段で表示されている縮小画像に対応する画像データの送信を前記送信側デバイスに要求する要求手段と、
該要求手段により要求した画像データを受信する受信手段とを備える。